(57)【要約】【課題】  広域ＷＡＮのＬＡＮＴＡやＤＳＵの故障と、ルータ／スイッチングハブの故障の切り分けが確実にでき、簡易リモート監視装置の故障が発生しても監視システム全体への影響を少なくでき、また大規模ネットワークでも障害検出時間を短縮することができるリモート監視システムを提供する。【解決手段】  簡易リモート監視装置４は、監視対象装置の障害発生を検知すると、監視用のダイアルアップ網３０を経由して情報提供サーバ６に送信し、また自身のキープアライブパケットを広域ＷＡＮ回線２０を利用して情報提供サーバ６に送出し、情報提供サーバ６は、障害発生情報をＷｅｂブラウザ端末７が閲覧することができるように表示する。【選択図】  図１
2005236369.tif 000002
【特許請求の範囲】
【請求項１】
広域ＷＡＮ回線を利用して接続されているネットワーク機器の監視を当該ネットワーク機器が設置されるサイトと同じサイトに設置された簡易リモート監視装置が行い、当該簡易リモート監視装置とは別にシステムとして共通に利用されるサーバを含むリモート監視システムであって、
前記簡易リモート監視装置は、監視対象である前記ネットワーク機器の障害発生情報および障害復旧情報を検知する障害検知手段と、
前記障害検知手段により検知された前記障害発生情報および障害復旧情報を検知した時のみ用いられる前記広域ＷＡＮ回線とは別に用意されるダイアルアップ公衆網を経由して前記障害発生情報および障害復旧情報を前記サーバに送信する障害情報送信手段と、
前記簡易リモート監視装置が自己の正常性を表示するキープアライブ情報を前記広域ＷＡＮ回線を利用して周期的に前記サーバに電子メール形式で送出するキープアライブ情報送出手段と、
を備え、
前記サーバは、すべての前記簡易リモート監視装置から前記広域ＷＡＮ回線とは別に用意されるダイアルアップ公衆網を経由して送信される前記障害発生情報および障害復旧情報を受信する受信手段と、
すべての前記簡易リモート監視装置から送出される前記キープアライブ情報を前記広域ＷＡＮ回線を介して電子メール形式で受信する受信手段と、
すべての前記簡易リモート監視装置から送信される前記障害発生情報および障害復旧情報をＷＷＷブラウザ利用者が閲覧することができるように表示する表示手段と、
を備えることを特徴とするリモート監視システム。
【請求項２】
前記簡易リモート監視装置は、当該簡易リモート監視装置が設置されるサイトが停電の場合であっても単体で機能する充電式バッテリ駆動手段を備えることを特徴とする請求項１記載のリモート監視システム。
【発明の詳細な説明】
【技術分野】
【０００１】
本発明は、簡易リモート監視装置からの情報を一括管理することにより障害の切り分けの容易化およびコストの削減が図られたリモート監視システムに関する。
【背景技術】
【０００２】
従来の企業におけるＷＡＮ（Wide Area Network ）回線にはフレームリレーや専用線が使用されていたが、高速かつ安価で、さらに固定的なパスが張られていないため任意の拠点間で自由に通信することが可能な、トポロジー的にフラットなＩＰ−ＶＰＮ網や広域Ｅｔｈｅｒｎｅｔ（Ｒ）サービスを利用するユーザが増えてきた。これは、支店、営業所あるいは工場等のすべての拠点を上記の広域ＷＡＮサービスに収容すると、拠点の移設追加にフレキシブルに対応可能であり、より高速かつ安価な広域ネットワークを構築することができるためである。
【０００３】
ここで、広域ＷＡＮ回線を提供しているキャリアあるいは広域ＷＡＮ回線を利用している企業ネットワークのリモート監視を請け負っている監視サービス業者にとって、広域ＷＡＮ回線を含めたリモート監視は、障害の切り分けが困難であること等の問題点があった。さらに、広域ＷＡＮ回線サービスを提供するキャリアは、従来の客先サイト側に設置されるＤＳＵ（Digital Service Unit）やＬＡＮＴＡ（Local Area Network Terminal Adapter ）までがキャリアの設備で、監視の対象とすることから、さらに客先サイトに設置するＷＡＮアクセス用のルータやスイッチングハブまでを含めてキャリアの責任により設置および監視を行う対象とすることでサービスの拡大を図る傾向になってきており、リモート監視による障害の切り分けはキャリアにとって重要な課題になっている。
【０００４】
これまで、広域ＷＡＮ回線を利用している企業のネットワークを監視する方法は図４に示すような方法が一般的であった。図４を参照すると、監視センタ７０に設置された集中監視装置８は、監視対象装置に対してｐｉｎｇパケットの送出等により周期的にポーリングを行い、キープアライブ監視を行う装置である。集中監視装置８は、監視対象装置が収容されている同一の広域ＷＡＮ回線２０に接続されており、ｐｉｎｇパケットは広域ＷＡＮ回線２０を経由して送出される。なお、監視センタ７０は広域ＷＡＮ回線２０を運営しているキャリアの設備であっても、キャリアとは独立した監視サービス会社が独自に用意して監視を行う場合であってもよい。
【０００５】
また、分散ネットワーク管理環境における遠隔からの集中監視を行う場合に、企業内ネットワークへの影響を最小限にしたリモート監視装置に関する技術が提案されている（例えば、特許文献１参照）。
【特許文献１】特開２００１−１５４８８３号公報
【発明の開示】
【発明が解決しようとする課題】
【０００６】
しかしながら、上述した従来例においては次のような問題点があった。
【０００７】
まず、集中監視装置８がポーリングとして送出したｐｉｎｇパケットの返答がない、すなわち不達である場合には、不達原因個所の切り分けが困難であった。不達原因として、広域ＷＡＮ回線内部の障害、広域ＷＡＮ回線に接続されているネットワーク機器の故障、ＬＡＮＴＡやＤＳＵの故障、ユーザ拠点の構内配線系の不良および監視対象拠点の停電等があり、いずれか１つの障害が発生している場合には、ｐｉｎｇパケットは不達となる。
【０００８】
上記の集中監視装置８からｐｉｎｇパケットを送出し、不達の場合における不達原因を図３に示す。図３を参照すると、故障個所によりｐｉｎｇパケットの到達区間が異なるが、集中監視装置８から見ると、ｐｉｎｇパケットの到達区間がどこまでか判断することは困難である。ここで、矢印ａはネットワーク機器１が故障した場合におけるｐｉｎｇパケット到達区間、矢印ｂはＬＡＮＴＡ２が故障した場合におけるｐｉｎｇパケット到達区間、矢印ｃはＤＳＵ９が故障した場合におけるｐｉｎｇパケット到達区間、矢印ｄはＬＡＮが不良の場合におけるｐｉｎｇパケット到達区間および矢印ｅは広域ＷＡＮ回線２０内部で障害が発生した場合におけるｐｉｎｇパケット到達区間を示している。なお、ｐｉｎｇパケットを受信して返答可能な装置は、ユーザ拠点が利用している広域ＷＡＮ回線２０にアクセスしているルータあるいはスイッチングハブ等のネットワーク機器１のみであり、その他のＬＡＮＴＡ２やＤＳＵ９は、単なる伝送機器であるため、その機能が正常である場合には、ｐｉｎｇパケットを通過させるに過ぎない。
【０００９】
また、広域ＷＡＮ回線２０を監視しているキャリアは、監視責任があるＬＡＮＴＡ２あるいはＤＳＵ９が故障しているのか、またはルータ／スイッチングハブ１が故障しているのかにより、対応方法が異なる。前者の場合には、客先拠点に出向いて修復しなければならないが、後者の場合には、客先に通報するのみでもよい。ここで、ルータ／スイッチングハブ１、ＬＡＮＴＡ２およびＤＳＵ９を含めてすべて同一のキャリアの責任範囲である場合には、障害発生装置種別により現地を訪問するサービス要員の技術分野、保守会社、手配が必要な予備品が異なるため、事前にリモートで障害原因の切り分けが行われていることが望ましいが、ｐｉｎｇパケットの不達原因個所の切り分けが困難であった。なお、客先に電話等でＬＡＮＴＡ２のランプ点灯状況や停電の発生の有無を確認するのでは、夜間の場合には困難となり、また客先の電話対応者が的確に障害装置のランプ情報等を提供可能な能力を有しているとは限らない。
【００１０】
また、１台の集中監視装置８から集中的にすべての監視対象装置に対してポーリングを行うのでは、集中監視装置８が故障するとすべての監視が停止することとなるため集中監視装置８に高い信頼性が要求される。ここで、集中監視装置８を分散化する方法もあるが、システム構成や運用が複雑になるという問題点がある。
【００１１】
また、ポーリング周期の短縮化には、監視対象装置が多数存在する大規模なネットワークでは集中監視装置８の性能上限界がある。結果的に、障害検知までの時間が長くなる等のサービス低下が発生する。ここで、集中監視装置８を分散化する方法もあるが、システム構成や運用が複雑になるという問題点がある。
【００１２】
そこで、本発明の目的は、簡易リモート監視装置を監視対象機器と同じサイトに分散設置することにより、広域ＷＡＮのキャリアの責任範囲であるＬＡＮＴＡやＤＳＵの故障と、広域ＷＡＮにアクセスしているルータ／スイッチングハブの故障の切り分けがリモートで確実に行うことができ、簡易リモート監視装置個々で故障が発生しても監視システム全体への影響を少なくでき、また大規模なネットワークでも障害の検出時間を短縮することができるリモート監視システムを提供することである。
【課題を解決するための手段】
【００１３】
請求項１記載の発明は、広域ＷＡＮ回線を利用して接続されているネットワーク機器の監視を当該ネットワーク機器が設置されるサイトと同じサイトに設置された簡易リモート監視装置が行い、当該簡易リモート監視装置とは別にシステムとして共通に利用されるサーバを含むリモート監視システムであって、前記簡易リモート監視装置は、監視対象である前記ネットワーク機器の障害発生情報および障害復旧情報を検知する障害検知手段と、前記障害検知手段により検知された前記障害発生情報および障害復旧情報を検知した時のみ用いられる前記広域ＷＡＮ回線とは別に用意されるダイアルアップ公衆網を経由して前記障害発生情報および障害復旧情報を前記サーバに送信する障害情報送信手段と、前記簡易リモート監視装置が自己の正常性を表示するキープアライブ情報を前記広域ＷＡＮ回線を利用して周期的に前記サーバに電子メール形式で送出するキープアライブ情報送出手段と、を備え、前記サーバは、すべての前記簡易リモート監視装置から前記広域ＷＡＮ回線とは別に用意されるダイアルアップ公衆網を経由して送信される前記障害発生情報および障害復旧情報を受信する受信手段と、すべての前記簡易リモート監視装置から送出される前記キープアライブ情報を前記広域ＷＡＮ回線を介して電子メール形式で受信する受信手段と、すべての前記簡易リモート監視装置から送信される前記障害発生情報および障害復旧情報をＷＷＷブラウザ利用者が閲覧することができるように表示する表示手段と、を備えることを特徴とするリモート監視システムである。
【００１４】
請求項２記載の発明は、請求項１記載のリモート監視システムにおいて、前記簡易リモート監視装置は当該装置の設置されているサイトが停電になり、監視ができなくなることを防止するため充電可能なバッテリ手段を備える。
【発明の効果】
【００１５】
本発明のリモート監視システムによれば、簡易リモート監視装置に、監視対象であるネットワーク機器の障害発生情報および障害復旧情報を検知する障害検知手段と、障害検知手段により検知された障害発生情報および障害復旧情報を検知した時のみ用いられる広域ＷＡＮ回線とは別に用意されるダイアルアップ公衆網を経由して障害発生情報および障害復旧情報をサーバに送信する障害情報送信手段と、簡易リモート監視装置が自己の正常性を表示するキープアライブ情報を広域ＷＡＮ回線を利用して周期的にサーバに電子メール形式で送出するキープアライブ情報送出手段を設け、サーバに、すべての簡易リモート監視装置から広域ＷＡＮ回線とは別に用意されるダイアルアップ公衆網を経由して送信される障害発生情報および障害復旧情報を受信する受信手段と、すべての前記簡易リモート監視装置から送出されるキープアライブ情報を広域ＷＡＮ回線を介して電子メール形式で受信する受信手段と、すべての前記簡易リモート監視装置から送信される障害発生情報および障害復旧情報をＷＷＷブラウザ利用者が閲覧することができるように表示する表示手段を設けることにより、広域ＷＡＮのキャリアの責任範囲があるＬＡＮＴＡやＤＳＵの故障と、ＷＡＮにアクセスしているルータ／スイッチングハブの故障の切り分けがリモートで
確実に行うことができ、また、簡易リモート監視装置の個々の故障が発生してもリモート監視システム全体への影響を少なくでき、また、大規模なネットワークでも簡易リモート監視装置の対象とする監視対象機器は、広域ＷＡＮにアクセスしているルータ／スイッチングハブ等であり台数が限られているためポーリング周期を短く設定できるので障害の検出時間を短縮することができ、また、簡易リモート監視装置は充電型のバッテリ駆動で動作可能なため簡易リモート監視装置が設置されたサイト全体が停電になっても簡易リモート監視装置は単体で動作することができるため、停電時も監視対象機器の異常を通知することが可能であり、また、簡易リモート監視装置のキープアライブ情報の送出には電子メール形式を利用しているためファイア・ウォールがあってもシステムに変更を与えずに外部のサーバに情報を通知することが可能であり、また、簡易リモート監視装置が検知した障害情報や復旧情報の送出は検知した情報に変化があった場合のみ広域ＷＡＮ回線とは別に用意したダイアルアップ公衆網を利用するため、ダイアルアップ公衆網の通信費は少なく抑えることが可能である等の多くの特徴がある。
【発明を実施するための最良の形態】
【００１６】
本発明を実施するための最良の形態は以下の通りである。
【００１７】
簡易リモート監視装置は簡易リモート監視装置が設置されている広域ＷＡＮ回線アクセス用ルータ／スイッチングハブに対して数秒から数分間隔という短い周期でｐｉｎｇを送出させ、ルータ／スイッチングハブの障害発生や障害復旧を速やかに検知し、検知した時点でのみ、広域ＷＡＮ回線とは別に用意したダイアルアップ公衆網にダイアルアップ接続して情報収集用のサーバに通知する。したがって、サーバには監視対象拠点に分散設置されたすべての簡易リモート監視装置から障害情報が蓄積されていくことになる。そして、簡易リモート監視装置自身が障害になると、監視対象機器の監視が行えず、監視対象機器の障害あるいは復旧情報を送信できなくなることを防止するために各簡易リモート監視装置は、数分あるいは数十分間隔で広域ＷＡＮ回線を利用して電子メール形式でサーバに簡易リモート監視装置自身が正常であることを示すキープアライブ情報を送出する。さらに、サーバはすべての簡易リモート監視装置からの障害情報やキープアライブ情報をＷｅｂ公開情報として蓄積編集し表示させているため、ＷＷＷブラウザ端末からユーザが確認したい拠点の広域ＷＡＮにアクセスしているルータ／スイッチングハブの稼動状況をリアルタイムで確認することができる。
【００１８】
本発明の実施例の構成・動作を図を用いて説明する。
【００１９】
図１は、本実施形態におけるネットワーク環境でのリモート監視システムの全体構成を示す図である。図１を参照すると、ある企業の営業所や支店等の複数のユーザ拠点１０が広域ＷＡＮ回線２０を使用している。各ユーザ拠点１０には広域ＷＡＮ回線２０へのアクセス用のルータやスイッチングハブ１が設けられている。広域ＷＡＮ回線２０へのアクセス用のルータやスイッチングハブ１は、広域ＷＡＮ回線２０とのアクセス回線２００のインターフェース用にＬＡＮＴＡ２や図示しないＤＵＳが設けられている。
【００２０】
各ユーザ拠点１０のＬＡＮ３は、広域ＷＡＮ回線２０へのアクセス用のルータやスイッチングハブ１に接続されている。各ユーザ拠点１０内には、それぞれ簡易リモート監視装置４が設置されている。
【００２１】
図２は、簡易リモート監視装置４の構成を示す図である。簡易リモート監視装置４はＬＡＮインターフェース４０３と、ＰＣＭＣＩＡカードインターフェース４０４を備えている。
【００２２】
ＰＣＭＣＩＡカードインターフェース４０４によりＩＳＤＮ回線用ＴＡカードまたは電話回線用モデムカード等の拡張カードを利用してダイアルアップ回線を自由に選択することができる。また、簡易リモート監視装置４は、駆動用に外部の充電式バッテリ４０６を備えている、したがって停電時等でも単独で動作することが可能である。ここで、充電式バッテリ４０６は、図３では簡易リモート監視装置４の本体の外部機能として示されているが、本体に内蔵されてもよい。
【００２３】
さらに、簡易リモート監視装置４は、ハードディスクが内蔵されていないバッテリ駆動が可能な小型の情報処理装置であり、中央演算処理装置４０１、フラッシュメモリ４０２および電源供給部４０５等から構成されている。
【００２４】
また、図１を参照すると、すべての簡易リモート監視装置４はＰＣＭＣＩＡカード５を介してダイアルアップ網３０のアクセス回線１００に接続されている。簡易リモート監視装置４のＬＡＮインターフェース４０３は、監視対象となるユーザ拠点１０におけるＬＡＮ３の空いているＬＡＮポートに接続されていてもよい。
【００２５】
ダイアルアップ網３０には、すべての簡易リモート監視装置４からの情報を収集する機能を有している情報提供サーバ６が接続されている。情報提供サーバ６は、システム全体の運用を行う監視センタ５０に設置されている。情報提供サーバ６は、簡易リモート監視装置４が検出する監視対象装置の障害発生状況等の情報を提供するＷｅｂサーバ機能や簡易リモート監視装置４が発信するキープアライブ送信を目的とする電子メールのメールサーバ機能等の監視センタ５０を運用するために必要な種々の機能を有している。
【００２６】
Ｗｅｂブラウザ端末７は、インターネット４０を経由して情報提供サーバ６のＷｅｂサイトにアクセスすることによりリ、簡易リモート監視装置４が検出する監視対象装置の障害発生状況等の情報をアルタイムで取得することができる。
【００２７】
以上のように構成された実施形態におけるネットワーク環境でのリモート監視システムの動作について図１に基づいて説明する。
【００２８】
まず、簡易リモート監視装置４は、数１０秒の短い時間間隔で少なくとも広域ＷＡＮ回線２０へのアクセス用のルータやスイッチングハブ１にポーリングを行う。対象装置に処理要求があるか否かを確認するポーリングは、図１に示すＰ１の経路により簡易リモート監視装置４が、ＬＡＮインターフェース４０３からｐｉｎｇパケットを送出することにより行ったり、または図１に示すＰ２の経路により簡易リモート監視装置４が、広域ＷＡＮアクセス回線２００を中継して監視対象であるユーザ拠点の通信先である本社や上位拠点等の対向する図示しないネットワーク機器に対して行ってもよい。
【００２９】
次に、簡易リモート監視装置４は、ポーリング結果がｐｉｎｇパケット不達であり、接続を確認することができない場合には、その後復旧を確認できた場合にのみダイアルアップ網３０に接続し、監視対象装置のステータス（死活状態）を情報提供サーバ６に通知する。なお、機器障害あるいは復旧の判断は、複数回の連続したポーリング結果に変化が生じないことを確認することにより行ってもよい。
【００３０】
また、簡易リモート監視装置４自身が故障した場合には、情報提供サーバ６が監視対象のすべてが正常であると判断することを回避すべく、簡易リモート監視装置４自身のステータスを情報提供サーバ６に通知する必要がある。そのための方法として、簡易リモート監視装置４自身がキープアライブパケットを情報提供サーバ６に対して周期的に送出することにより、簡易リモート監視装置４の正常性を通知することができる。しかし、キープアライブパケットをダイアルアップ網３０を介して送出するとダイアルアップ網３０の回線利用料が発生するため経済的ではない。
【００３１】
そこで、簡易リモート監視装置４自身がキープアライブパケットをメールパケットにより広域ＷＡＮ回線２０およびインターネット６０を経由して監視センタ５０の情報提供サーバ６に送信する。電子メール形式とするのはファイア・ウォールはメールのＴＣＰポートを開けてあるため自由に外部ネットワークと通信のやり取りが可能だからである。なお、キープアライブメールの経路は図１のＫ１〜Ｋ３で示すとおりである。
【００３２】
ここで、簡易リモート監視装置４からのキープアライブメールのあて先アドレスは情報提供サーバ６のアドレスであるが、使用するメール中継サーバ（図示せず）は監視対象である広域ＷＡＮ回線２０を使用しているユーザのものを利用する。また、インターネットアクセス回線として企業が専用回線を利用している場合には、キープアライブパケットの送信のために通信費用が発生することはなく、コストの軽減が図られている。
【００３３】
さらに、簡易リモート監視装置４は、充電式バッテリ駆動で動作しているため、簡易リモート監視装置４が設置されている拠点が停電した場合であっても、所定の間、簡易リモート監視装置４単体で動作可能であるので、監視拠点の異常を判断することができる。
【００３４】
監視センタ５０が、ポーリング周期あるいはポーリング先変更等の簡易リモート監視装置４のメンテナンスのためにリモート接続を必要とする場合もある。その場合には、ダイアルアップ網３０としてＩＳＤＮを利用すれことにより閉域接続サービスおよび発信者番号チェック機能が利用可能となり、また、電話網を利用する際にはコールバック接続およびＰＰＰ（Point To Point Protocol ）の認証プロトコルであるＣＨＡＰ（Challenge Handshake Authentication Protocol ）あるいはＰＡＰ（Password Authentication Protocol）を利用することによりセキュリティを確保することができる。
【００３５】
情報提供サーバ６は、すべての簡易リモート監視装置４からそれぞれが監視している監視対象装置のステータス情報を受け取る。情報提供サーバ６は、それらの情報をユーザ単位で編集し、Ｗｅｂ情報として公開する。ユーザ単位にまとめられているので理解の容易化を図ることができる。
【００３６】
上記の実施例によれば、通常の業務用の広域ＷＡＮ回線とは別に、監視用専用網（ダイアルアップ網）を使用していることと、監視対象拠点ごとにバッテリ駆動の簡易リモート監視装置を配し、その簡易リモート監視装置が自拠点内のネットワーク機器を個別に監視しているため、ＬＡＮＴＡおよびＤＳＵを含む業務用の広域ＷＡＮ回線に障害が発生した場合であっても、広域ＷＡＮ回線に収容している拠点内のネットワーク機器を確実に監視することができ、広域ＷＡＮの障害とユーザ拠点に設置されているネットワーク機器の障害の切り分けが可能になる。
【００３７】
また、すべての簡易リモート監視装置からの監視結果は監視用専用網を利用して監視センタの情報提供サーバに監視状態として転送されるので、情報提供サーバを参照することによりリアルタイムで監視対象装置のステータスを知ることができる。
【００３８】
また、監視対象装置が障害になった場合や障害が復旧した場合等の監視対象装置のステータスに変更があった場合にのみ監視用専用網にアクセスすること、および拠点ごとに設置される簡易リモート監視装置の稼動状態を表示するため周期的に送出するキープアライブパケットは広域ＷＡＮ回線とインターネットを使用し、監視用専用網を使用しないことにより、専用の監視網を使用するにも係わらず回線の利用料は大幅に少なく経済的なシステムを実現することができる。
【００３９】
また、簡易リモート監視装置は広域ＷＡＮ回線を利用している拠点内に個別に設置され、個別に監視しているため、簡易リモート監視装置が故障しても影響範囲はその拠点内に限定されるので、サービスの品質が保証される。また、キープアライブパケットの送出先の数が少ないので送出周期を数十秒という短い間隔で行うことができ、監視対象装置の個数が膨大な大規模ネットワークであっても障害の検出時間を短縮化できる。
【００４０】
なお、上述する実施の形態は、本発明の好適な実施の形態であり、本発明の要旨を逸脱しない範囲内において種々変更実施が可能である。例えば、情報提供サーバ６は、Ｗｅｂサーバ機能やメールサーバ機能等の機能ごとに複数のサーバで構成されることとしてもよい。
【図面の簡単な説明】
【００４１】
【図１】本発明の実施形態におけるシステムの構成を示す図である。
【図２】本発明の実施形態における簡易リモート監視装置の構成を示す図である。
【図３】従来例におけるｐｉｎｇパケットの不達原因を示す図である。
【図４】従来例における広域ＷＡＮ回線を利用したネットワークを監視する方法の構成を示す図である。
【符号の説明】
【００４２】
１    スイッチングハブ
２    ＬＡＮＴＡ
３    ＬＡＮ
４    簡易リモート監視装置
５    ＰＣＭＣＩＡカード
６    情報提供サーバ
７    Ｗｅｂブラウザ端末
１０    ユーザ拠点
２０    広域ＷＡＮ回線
３０    ダイアルアップ網
４０、６０    インターネット
５０    監視センタ
１００、２００    アクセス回線
【図１】
2005236369.tif 000003
【図２】
2005236369.tif 000004
【図３】
2005236369.tif 000005
【図４】
2005236369.tif 000006